(57)【要約】      （修正有）【課題】収容した製品が輸送中に生じた振動等によって大きく動くのを抑えると共に箱本体の水平方向に外力が作用しても変形し難い梱包箱を提供する。【解決手段】梱包箱１０の箱本体１２の背面板２６には外側フラップ３０が連続形成されている。箱本体１２の一側には第１側面板４２が立設され、第１側面板４２には第１内側フラップ４６が連続形成されている。この第１内側フラップ４６には嵌合片嵌合切欠が形成されている。第１内側フラップ４６には第１内側フラップ押圧片５２が連続形成されている。箱本体１２の他側には第２側面板５４が立設され、第２側面板５４には第２内側フラップ５８が連続形成されている。第２内側フラップ５８には嵌合片６０が形成されている。第２内側フラップ５８には第２内側フラップ押圧片６４が連続形成されている。【選択図】図１
0003194153.tif 000002
【実用新案登録請求の範囲】
【請求項１】
有底で収容部が設けられた箱本体と、この箱本体の正面に立設された正面板と、前記箱本体の背面に立設された背面板と、この背面板に外側フラップ折り線を介して連続形成された外側フラップと、前記箱本体の一側面に立設された第１側面板と、この第１側面板に第１内側フラップ折り線を介して連続形成された第１内側フラップと、前記箱本体の他側面に立設された第２側面板と、この第２側面板に第２内側フラップ折り線を介して連続形成された第２内側フラップと、を備えてなる梱包箱において、
前記第１内側フラップに形成された嵌合片嵌合切欠と、前記第１内側フラップに第１内側フラップ押圧片折り線を介して連続形成されると共に第１内側フラップを閉じた場合に前記収容部に位置するように折り曲げられた第１内側フラップ押圧片と、
前記第２内側フラップに形成されると共に前記嵌合片嵌合切欠と嵌合可能な嵌合片と、前記第２内側フラップに第２内側フラップ押圧片折り線を介して連続形成されると共に第２内側フラップを閉じた場合に前記収容部に位置するように折り曲げられた第２内側フラップ押圧片と、を有してなることを特徴とする梱包箱。
【請求項２】
前記正面板の上部に正面板係止片を突設し、前記第１内側フラップの正面側に第１正面板係止片用切欠を形成し、前記第２内側フラップの正面側に第２正面板係止片用切欠を形成したことを特徴とする請求項１記載の梱包箱。
【請求項３】
前記嵌合片嵌合切欠と前記嵌合片を平面視台形状に形成したことを特徴とする請求項１又は請求項２のいずれか１項に記載の梱包箱。
【考案の詳細な説明】
【技術分野】
【０００１】
本考案は、梱包箱に関し、詳しくは輸送時等に振動や衝撃等が発生しても梱包箱に収容した製品が動くの抑えると共に箱本体が水平方向に変形するのを抑えることが可能な梱包箱に関する。
【背景技術】
【０００２】
従来より各種製品等を輸送する場合に使用される収容容器として段ボール等で形成された梱包箱が知られている（特許文献１）。
このタイプの梱包箱を使用して製品を輸送する場合、梱包箱の収容部の深さ寸法と収容される製品の高さ寸法が略一致すれば梱包箱の内側フラップと製品の上面との間に隙間がほとんど生じないので輸送中において振動や衝撃が発生しても前記製品が自由に動いてしまうのを抑えることができる。
しかし、梱包箱の収容部の深さ寸法よりも収容される製品の高さ寸法が小さ過ぎると梱包箱の内側フラップと製品の上面との間の隙間が大きくなるため輸送中に振動や衝撃が発生すると収容部内で製品が動いてしまう場合がある。
このことは衝撃や振動等に弱い電子機器等の製品を輸送等する場合、特に好ましくないことである。
そこで、輸送中における振動や衝撃によって製品が収容部内で動くのを防止するため、製品と梱包箱の内側フラップとの間にできた隙間に適宜材料で形成された緩衝体を入れて製品が動くのを抑えたり、製品に緩衝体シートを何重にも巻いて緩衝体シートで巻いた製品と梱包箱の内側フラップとの間に隙間ができるのを防止して製品が動くのを抑えたりしている。
しかし、この場合、緩衝体や緩衝体シートを別途に用意する必要があると共に製品と梱包箱の内側フラップとの間にできた隙間に緩衝体を配設する手間や緩衝体シートを製品に巻く手間が生じ、梱包作業の作業効率が低下するという不具合がある。
また、従来の段ボール等で形成された梱包箱は水平方向の外力が作用した場合に梱包箱が水平方向に変形してしまうおそれがある。
【先行技術文献】
【特許文献】
【０００３】
【特許文献１】実用新案登録第３１４８５２２号
【考案の概要】
【考案が解決しようとする課題】
【０００４】
本考案は、上記事実に鑑みなされたものであり、収容した製品が輸送中に生じた振動や衝撃によって大きく動くのを抑えると共に箱本体の水平方向に外力が作用しても変形し難い梱包箱を提供するものである。
【課題を解決するための手段】
【０００５】
請求項１の考案は、有底で収容部が設けられた箱本体と、この箱本体の正面に立設された正面板と、前記箱本体の背面に立設された背面板と、この背面板に外側フラップ折り線を介して連続形成された外側フラップと、前記箱本体の一側面に立設された第１側面板と、この第１側面板に第１内側フラップ折り線を介して連続形成された第１内側フラップと、前記箱本体の他側面に立設された第２側面板と、この第２側面板に第２内側フラップ折り線を介して連続形成された第２内側フラップと、を備えてなる梱包箱において、
前記第１内側フラップに形成された嵌合片嵌合切欠と、前記第１内側フラップに第１内側フラップ押圧片折り線を介して連続形成されると共に第１内側フラップを閉じた場合に前記収容部に位置するように折り曲げられた第１内側フラップ押圧片と、
前記第２内側フラップに形成されると共に前記嵌合片嵌合切欠と嵌合可能な嵌合片と、前記第２内側フラップに第２内側フラップ押圧片折り線を介して連続形成されると共に第２内側フラップを閉じた場合に前記収容部に位置するように折り曲げられた第２内側フラップ押圧片と、を有してなることを特徴としている。
請求項２の考案は、前記正面板の上部に正面板係止片を突設し、前記第１内側フラップの正面側に第１正面板係止片用切欠を形成し、前記第２内側フラップの正面側に第２正面板係止片用切欠を形成したことを特徴としている。
請求項３の考案は、前記嵌合片嵌合切欠と前記嵌合片を平面視台形状に形成したことを特徴としている。
【考案の効果】
【０００６】
本考案の梱包箱は、収容部に収容された製品が自由に動くのを抑えることができるという優れた効果を有する。
本考案の梱包箱は、箱本体の水平方向に外力が作用しても箱本体が水平方向に変形するのを抑えることができるという優れた効果を有する。
本考案の梱包箱は、緩衝体や緩衝体シートを使用しないので、廃棄物の量を減らすことができるという優れた効果を有する。
本考案の梱包箱は、梱包箱の中に緩衝体を入れたり、製品に緩衝体シートを巻いたりしないので、製品を受け取った受取人は直ぐに製品を手にすることができるため、緩衝体や緩衝体シートを取り除く手間がないのでストレスの軽減を図ることができるという優れた効果を有する。
【図面の簡単な説明】
【０００７】
【図１】実施例の梱包箱の外側フラップと第１内側フラップ、第２内側フラップを開けた状態の全体斜視図である。
【図２】実施例の梱包箱の外側フラップを開けた状態の全体斜視図である。
【図３】実施例の梱包箱の全体斜視図である。
【図４】実施例の梱包箱の展開図である。
【図５】実施例の梱包箱の作用を示す一部拡大概略縦断面図である。
【考案を実施するための形態】
【０００８】
考案を実施するために最良の形態の例として以下のような実施例を示す。
【実施例１】
【０００９】
図１〜図５には本考案の梱包箱の一実施例が示されている。
図１〜図４に示されるように、実施例の梱包箱１０は一枚の段ボールを多数の折り線で折り曲げて形成されている。
【００１０】
図１に示されるように、梱包箱１０の有底の箱本体１２の内部には製品１（図５参照）を収容することができる収容部１４が形成されている。
この収容部１４の上面には収容部開口部１６が形成され、収容部１４に製品１を出し入れできるようになっている。
【００１１】
前記箱本体１２の正面側には正面板２０が立設されている。この正面板２０の上部中央にはスリット２２が形成されると共に正面板係止片２４が突設形成されている。この正面板係止片２４には正面係止片折り線２５Ａ，２５Ｂが形成され、正面板係止片２４を正面係止片折り線２５Ａ，２５Ｂで折り曲げることができるようになっている。
【００１２】
前記箱本体１２の背面側には前記正面板２０と対向して背面板２６が立設されている。この背面板２６には外側フラップ折り線２８を介して外側フラップ３０が連続形成されている。また、外側フラップ３０には外側フラップ差込片折り線３２を介して外側フラップ差込片３４が連続形成されている。
【００１３】
図４に示されるように、この外側フラップ差込片折り線３２の中央部には正面板係止片用スリット３６が形成され、前記正面板係止片２４を差し込むことができるようになっている（図３参照）。
また、前記背面板２６の側部には糊代片折り線３８を介して糊代片４０が連続形成されている。
【００１４】
図１に示されるように、前記箱本体１２の一側には第１側面板４２が立設されている。この第１側面板４２には第１内側フラップ折り線４４を介して第１内側フラップ４６が連続形成されている。
【００１５】
図２に示されるように、この第１内側フラップ４６には平面視台形状の嵌合片嵌合切欠４８が形成されている。また、第１内側フラップ４６の正面側には第１正面板係止片用切欠４９が形成されている。
【００１６】
前記第１内側フラップ４６には第１内側フラップ押圧片折り線５０を介して第１内側フラップ押圧片５２が連続形成されている。
この第１内側フラップ押圧片５２は前記第１内側フラップ４６を閉じた場合に前記収容部１４内に位置するように第１内側フラップ押圧片折り線５０で折り曲げられている。
【００１７】
図１に示されるように、前記箱本体１２の他側には前記第１側面板４２と対向して第２側面板５４が立設されている。この第２側面板５４には第２内側フラップ折り線５６を介して第２内側フラップ５８が連続形成されている。この第２内側フラップ５８には平面視台形状の嵌合片６０が形成されている。
【００１８】
図２に示されるように、この嵌合片６０は前記嵌合片嵌合切欠４８に嵌め込むことができるようになっている。なお、前記嵌合片嵌合切欠４８と嵌合片６０は共に平面視台形状であるので、嵌合片嵌合切欠４８に嵌合片６０を嵌合させると水平方向には嵌合片嵌合切欠４８と嵌合片６０を解除できなくなっている。
また、第２内側フラップ５８の正面側には第２正面板係止片用切欠６１が形成されている。
【００１９】
前記第２内側フラップ５８には第２内側フラップ押圧片折り線６２を介して第２内側フラップ押圧片６４が連続形成されている。
この第２内側フラップ押圧片６４は前記第２内側フラップ５８を閉じた場合に前記収容部１４内に位置するように第２内側フラップ押圧片折り線６２で折り曲げられている。
【００２０】
図４に示されるように、前記正面板２０には第１底面形成片折り線７０を介して第１底面形成片７２が、前記背面板２６には第２底面形成片折り線７４を介して第２底面形成片７６が、前記第１側面板４２には第３底面形成片折り線７８を介して第３底面形成片８０が、前記第２側面板５４には第４底面形成片折り線８２を介して第４底面形成片８４が、それぞれ連続形成されている。
【００２１】
これら第１底面形成片７２、第２底面形成片７６、第３底面形成片８０、第４底面形成片８４を折り畳むことにより前記箱本体１２の底部８６（図１参照）を形成するようになっている。
【００２２】
次に、実施例の梱包箱１０の作用を説明する。
実施例の梱包箱１０を使用して電子機器等の製品１（図５参照）を輸送する場合は、図１に示されるように外側フラップ３０、第１内側フラップ４６、第２内側フラップ５８を開いた状態にして収容部開口部１６から収容部１４に製品１を収容する。
【００２３】
次に、図２に示されるように、前記第１内側フラップ４６と前記第２内側フラップ５８を閉めると共に前記嵌合片６０を前記嵌合片嵌合切欠４８に嵌め込んで外側フラップ３０を閉じて、外側フラップ差込片３４を収容部１４に差し込む。
【００２４】
最後に前記正面板係止片２４を正面係止片折り線２５Ｂで折り曲げて正面板係止片用スリット３６に差し込むことにより正面板係止片２４は第１正面板係止片用切欠４９と第２正面板係止片用切欠６１に配設されて梱包作業が終了する（図３参照）。
【００２５】
この場合、収容される前記製品１の高さ寸法が箱本体１２の収容部１４の深さ寸法と略同じである場合は第１内側フラップ４６の収容部１４側に位置する第１内側フラップ押圧片５２と第２内側フラップ５８の収容部１４側に位置する第２内側フラップ押圧片６４が、製品１の上面１Ａと当接するので輸送時に振動が発生しても製品１が動くのを抑えることができる。
【００２６】
これに対し、図５に示されるように収容される前記製品１の高さ寸法が箱本体１２の収容部１４の深さ寸法よりも小さくて製品１の上面１Ａと第１内側フラップ４６、第２内側フラップ５８との間の隙間が大きい場合は折り曲げられた第１内側フラップ押圧片５２と第２内側フラップ押圧片６４が図５矢印方向に回動する。
【００２７】
この結果、第１内側フラップ押圧片５２の先端部と第２内側フラップ押圧片６４の先端部が製品１の上面１Ａと当接し、第１内側フラップ押圧片５２と第２内側フラップ押圧片６４が製品１を押圧する状態となる。
【００２８】
このため、収容される前記製品１の高さ寸法が箱本体１２の収容部１４の深さ寸法よりも小さくて製品１の上面１Ａと第１内側フラップ４６、第２内側フラップ５８との間の大きな隙間が生じても、輸送中に振動や衝撃が発生した場合に製品１が収容部１４内を動くことを抑えることができる。
【００２９】
従って、実施例の梱包箱１０を使用すれば緩衝体や緩衝体シートを別途に用意する必要がなく、また、緩衝体を製品と梱包箱の内側フラップとの間にできた隙間に配設する手間や製品に緩衝体シートを巻いたりする手間を省けるので経済的であると共に梱包作業の作業効率を向上させることができる。
【００３０】
また、実施例の梱包箱１０は、緩衝体や緩衝体シートを使用しないので、廃棄物の量を減らすことができ、地球環境にやさしい。
【００３１】
さらに、実施例の梱包箱１０は、梱包箱１０の中に緩衝体を入れたり、製品１に緩衝体シートを巻いたりする必要がないので、製品１を受け取った受取人は緩衝体や緩衝体シートを取り除かないで直ぐに製品１を手にすることができるため、緩衝体や緩衝体シートを取り除くことによって生じるストレスは溜らない。
【００３２】
また、前記第１内側フラップ４６の平面視台形状の嵌合片嵌合切欠４８には前記第２内側フラップ５８の平面視台形状の嵌合片６０が確実に嵌め込まれているので、前記箱本体１２に水平方向の外力が作用しても箱本体１２は水平方向に変形し難いので梱包箱１０の強度を保持すると共に製品１に水平方向に外力が作用するのを抑えることができる。
【００３３】
しかも、前記正面板係止片２４も第１正面板係止片用切欠４９と第２正面板係止片用切欠６１に配設されるため、前記箱本体１２に水平方向の外力が作用した場合、箱本体１２の水平方向に作用する外力をより一層抑えて梱包箱１０の強度をより一層保持することができる。
【００３４】
なお、実施例では梱包箱１０を段ボールで形成したが、梱包箱１０を形成するのは段ボールに限定されるものでなく、段ボール以外の厚紙や他の材料で形成してもよいことは勿論である。
また、実施例では嵌合片嵌合切欠４８と嵌合片６０を平面視台形状に形成したが、嵌合片嵌合切欠４８と嵌合片６０は平面視台形状以外の形状でもよいことは勿論である。
【産業上の利用可能性】
【００３５】
本考案の梱包箱は、電子機器以外の製品を輸送する場合にも使用することができる。
【符号の説明】
【００３６】
１０    梱包箱
１２    箱本体
１４    収容部
１６    収容部開口部
２０    正面板
２２    スリット
２４    正面板係止片
２６    背面板
３０    外側フラップ
３４    外側フラップ差込片
３６    正面板係止片用スリット
４０    糊代片
４２    第１側面板
４６    第１内側フラップ
４８    嵌合片嵌合切欠
４９    第１正面板係止片用切欠
５２    第１内側フラップ押圧片
５４    第２側面板
５８    第２内側フラップ
６０    嵌合片
６１    第２正面板係止片用切欠
６４    第２内側フラップ押圧片
７２    第１底面形成片
７６    第２底面形成片
８０    第３底面形成片
８４    第４底面形成片
８６    底部
【図１】
0003194153.tif 000003
【図２】
0003194153.tif 000004
【図３】
0003194153.tif 000005
【図４】
0003194153.tif 000006
【図５】
0003194153.tif 000007